(57)【要約】【課題】観葉植物を室内空間に設置するための手段であって、室内空間を効率的に活用できるだけでなく、構成部材に統一感を持たせることによってインテリア要素として使用でき、その結果室内空間に溶け込ませることが可能なシステムファニチャーを提供することを目的とする。そして、観葉植物の種類や発育（観葉植物の大きさ）に容易に対応できるシステムファニチャーを提供することを目的とする。【解決手段】システムファニチャー１に、上方開放の箱体２０と、前記箱体と平面視略同一外周形状であって上下開放の枠体１０とを備え、前記箱体２０に単数又は複数の前記枠体１０を積層して係止可能に構成する。また、システムファニチャー１は、前記箱体２０の下層に、前記箱体２０と平面視略同一外周形状の収納体３０・４０をさらに備えて構成される。【選択図】図１
2007068673.tif 000002
【特許請求の範囲】
【請求項１】
上方開放の箱体と、
前記箱体と平面視略同一外周形状であって上下開放の枠体とを備え、
前記箱体に単数又は複数の前記枠体を積層して係止可能に構成したことを特徴とするシステムファニチャー。
【請求項２】
前記箱体の下層に、
前記箱体と平面視略同一外周形状の収納体をさらに備えたことを特徴とする請求項１に記載のシステムファニチャー。
【請求項３】
前記箱体の底板上に小鉢を設けたことを特徴とする請求項１又は請求項２に記載のシステムファニチャー。
【請求項４】
前記システムファニチャーの外観形成面を木材で構成した、又は該外観形成面に木目調のシートを貼付したことを特徴とする請求項１乃至請求項３の何れか一項に記載のシステムファニチャー。
【請求項５】
前記箱体と枠体から成る積層体、又は、箱体と枠体と収納体から成る積層体を複数形成し、これらの積層体間に板体を架設したことを特徴とする請求項１乃至請求項４の何れか一項に記載のシステムファニチャー。
【請求項６】
前記箱体又は収納体にキャスターを設けたことを特徴とする請求項１乃至請求項５の何れか一項に記載のシステムファニチャー。
【発明の詳細な説明】
【技術分野】
【０００１】
本発明は、室内やベランダ等に配設するシステムファニチャーに関するものである。
【背景技術】
【０００２】
従来、観葉植物用の鉢カバーに「飾る」という目的を持たせるために、住宅等に観葉植物を設置する際に、インテリアとしての美感を向上させるための技術が提案されている。例えば、観葉植物の含水保持材を収容するための化粧箱から成る観葉植物の設置装置（例えば、特許文献１参照。）や、鉢植えをそのまま室内に設置した際に該鉢植えを覆うことができる壺形花びん（例えば、特許文献２参照。）等が挙げられる。
上述のように、一般的な観葉植物用の鉢カバーや容器は、「観葉植物を植える」又は「置く、飾る」という単一目的のものが大半であり、商業施設等の特殊な設計における場合を除き、家具との組み合わせによるインテリアの造作としての役割を担っていなかった。
【０００３】
これは、観葉植物はインテリア構成要素であるものの、同じ室内空間に配置される家具とは独立した単品的な扱いをされることが多く、カーテンや家具等の他のインテリア要素のように、インテリアの全体的なコーディネートに組み込むことが想定されていなかったためである。
また、従来の観葉植物の設置装置では、観葉植物の種類や発育（観葉植物の大きさ）に応じて自由に高さを調節することができなかったためである。つまり、観葉植物の種類ごとに設置装置を準備したり、観葉植物の発育（観葉植物の大きさ）に応じて設置装置を準備したりする必要があるが、従来の観葉植物の設置装置では容易にこれに対応することができず、他のインテリア要素との調和を図って設置することが困難だったのである。
【特許文献１】実開平３−１１４９３５号公報
【特許文献２】実開昭５３−１４６９４号公報
【発明の開示】
【発明が解決しようとする課題】
【０００４】
そこで、本発明においては、観葉植物を室内空間に設置するための手段であって、室内空間を効率的に活用できるだけでなく、構成部材に統一感を持たせることによってインテリア要素として使用でき、その結果室内空間に溶け込ませることが可能なシステムファニチャーを提供することを目的とする。そして、観葉植物の種類や発育（観葉植物の大きさ）に容易に対応できるシステムファニチャーを提供することを目的とする。
【課題を解決するための手段】
【０００５】
本発明の解決しようとする課題は以上の如くであり、次にこの課題を解決するための手段を説明する。
【０００６】
即ち、請求項１においては、上方開放の箱体と、
前記箱体と平面視略同一外周形状であって上下開放の枠体とを備え、
前記箱体に単数又は複数の前記枠体を積層して係止可能に構成したものである。
【０００７】
請求項２においては、前記箱体の下層に、
前記箱体と平面視略同一外周形状の収納体をさらに備えたものである。
【０００８】
請求項３においては、前記箱体の底板上に小鉢を設けたものである。
【０００９】
請求項４においては、前記システムファニチャーの外観形成面を木材で構成した、又は該外観形成面に木目調のシートを貼付したものである。
【００１０】
請求項５においては、前記箱体と枠体から成る積層体、又は、箱体と枠体と収納体から成る積層体を複数形成し、これらの積層体間に板体を架設したものである。
【００１１】
請求項６においては、前記箱体又は収納体にキャスターを設けたものである。
【発明の効果】
【００１２】
本発明の効果として、以下に示すような効果を奏する。
【００１３】
請求項１においては、積み重ねる枠体の数を変更するだけで、システムファニチャーを観葉植物の種類や発育（観葉植物の大きさ）に容易に対応させることができる。
【００１４】
請求項２においては、居間等の室内空間を効率的に活用でき、構成部材に統一感を持たせることができる。
【００１５】
請求項３においては、観葉植物が植えられた土壌の水分等が、箱体や該箱体の下方の収納体等に洩れることを防止できる。
【００１６】
請求項４においては、システムファニチャーに高級感を持たせることができ、観葉植物と該システムファニチャーをインテリアに組み込んで、他のインテリア構成要素にコーディネートさせることができる。
【００１７】
請求項５においては、システムファニチャーを机や棚の脚として利用することができ、室内空間の効率化に供することができる。
【００１８】
請求項６においては、居間等の室内空間をシステムファニチャー及び観葉植物等によって自由に区分けすることができ、急な来客時にシステムファニチャーを移動させてパーティション代わりに使用することができる。
【発明を実施するための最良の形態】
【００１９】
次に、発明の実施の形態を説明する。
図１は本発明の一実施例に係るシステムファニチャー１の前方斜視図、図２は枠体１０の平面図と一部断面正面図、図３は金具３の平面図と正面図、図４は箱体２０の平面図と一部断面正面図、図５は小鉢２２の平面図と一部断面正面、図６は収納体３０の一部断面正面図、図７はシステムファニチャー１の使用例を示す正面図、図８はシステムファニチャー１の別使用例を示す正面図、図９は板体４５を利用したシステムファニチャー１の使用例を示す斜視図、図１０は板体４５の平面図と正面図である。
【００２０】
図１に示すように、本発明のシステムファニチャー１は、後述する枠体１０、箱体２０、及び収納体３０・４０を構成パーツとして、これらの構成パーツを適宜自在に組み合わせることによって、様々な形態に変形することが可能な家具である。
【００２１】
前記システムファニチャー１は、図１に示すように、下面にキャスター２が取り付けられた収納体４０の上方に他の収納体４０を配設し、該収納体４０の上方に箱体２０を配設した形態や、図７又は図８に示すように、収納体４０や箱体２０の上方に観葉植物５の大きさに合せて枠体１０を積み上げた形態として、観葉植物５を室内空間に配設するための容器として機能させることができる。
さらに、図９に示すように、前記の形態のシステムファニチャー１（積層体）を組み合わせたうえ、板体を架設した形態として、観葉植物５の容器としての機能に加え、机や棚として機能させることができる。
【００２２】
以下、上記枠体１０について説明する。
図２に示すように、枠体１０は、前後左右に側板（前板１０Ｆ・後板１０Ｂ・左板１０Ｌ・右板１０Ｒ）が設けられ、上方と下方が開放された、平面視略四角形状を有する部材である。前板１０Ｆの左端部下面と左板１０Ｌの前端部下面とは、図３に示す平面視略三角形状（ホームベース形状）の金具３によって固設されている。同様に、左板１０Ｌの後端部下面と後板１０Ｂの左端部下面、後板１０Ｂの右端部下面と右板１０Ｒの後端部下面、及び右板１０Ｒの前端部下面と前板１０Ｆの右端部下面が、前記金具３・３・３によって固設されている。
【００２３】
図３に示すように、前記金具３は、平面視略三角形状（ホームベース形状）の側板連結部３ａと、該側板連結部３ａの下面に設けられる平面視略三角形状の位置合せ部３ｂと、該側板連結部３ａの上面に設けられるボス部３ｃとから構成されており、該側板連結部３ａには、ネジ穴３ｄ・３ｄ・３ｄが形成されている。
そして、前記前板１０Ｆと左板１０Ｌを固設する場合には、図２及び図３に示すように、金具３の側板連結部３ａの前部に形成されたネジ穴３ｄ・３ｄと、前板１０Ｆの左端部下面とにネジ若しくはボルト等を挿通し、同じく側板連結部３ａの後部に形成されたネジ穴３ｄと、左板１０Ｌの前端部下面とにネジ若しくはボルト等を挿通することによって、前記金具３を介して前板１０Ｆと左板１０Ｌとが連結されている。同様にして、金具３を介して、左板１０Ｌと後板１０Ｂ、後板１０Ｂと右板１０Ｒ、右板１０Ｒと前板１０Ｆとが連結されている。
【００２４】
但し、前記側板１０Ｆ・１０Ｂ・１０Ｌ・１０Ｒ同士の連結構造は、ボルトと金具３・３・３・３によるものに限定するものでない。例えば、図１に示すように、側板１０Ｆ・１０Ｂ・１０Ｌ・１０Ｒの側端部に形成された凹凸同士を噛合させて、該噛合部分を接着材等で固着する、いわゆる石畳組接ぎの仕口構造とすることもできる。
【００２５】
本実施例においては、システムファニチャー１の構成パーツである枠体１０の側板１０Ｆ・１０Ｌ・１０Ｂ・１０Ｒを木材で構成しているが、該側板１０Ｆ・１０Ｌ・１０Ｂ・１０Ｒを木材に限らず樹脂や合板、その他金属素材などで構成し、その外側面にゼブラ柄等の木目調などの柄付きのシートを貼り付つけても良い。
このように、システムファニチャー１の構成パーツである枠体１０の側板１０Ｆ・１０Ｌ・１０Ｂ・１０Ｒを化粧することによって、システムファニチャー１と他のインテリア構成要素との調和を図り、インテリアにシステムファニチャー１を組み込み、他のインテリア構成要素にコーディネートさせることができる。
【００２６】
次に、箱体２０について説明する。
図４に示すように、箱体２０は、上方開放の箱体である。該箱体２０は、前記枠体１０の内側に底板２１を具備したものであり、側板２０Ｆ・２０Ｂ・２０Ｌ・２０Ｒ同士の連結は前記枠体１０と同様に金具３によるものである。
【００２７】
なお、図４（ｂ）に示すように、側板２０Ｆ・２０Ｂ・２０Ｌ・２０Ｒ同士を連結する金具３・３・３・３の下面には、箱体２０を自在に移動させるためのキャスター２・２・２・２を固設しても良い。ここで、前記箱体２０を後述する収納体３０・４０上方に積み重ね（積層し）ても使用することができるように、前記キャスター２を六角ボルト等の汎用工具を用いて着脱自在に金具３下面へ取り付ける構成とすると好適である。
さらに、図４に示すように、キャスター２には、ストッパー２ａを具備して、地震時等にシステムファニチャー１が倒れてしまうことがないように構成すると好適である。
【００２８】
また、図４（ｂ）に示すように、上記箱体２０の内側において底板２１の上面に、小鉢２２・２２・・・を載置する。該小鉢２２は、図５に示すように、平面視略方形の容器であり、側板に握り部２２ａ・２２ａが形成されている。
前記小鉢２２は、ステンレスやプラスチック等の素材で構成されており、該小鉢２２に土壌４を敷き詰めて、該土壌２３に観葉植物５を植え付けることができる。但し、前記小鉢２２に、観葉植物５が植えられた鉢カバーや容器をそのまま載置して使用しても良い。
【００２９】
次に、収納体３０について説明する。
図６に示すように、収納体３０は、外枠３１と、該外枠３１に引出可能に内挿される引出し３５とから構成される。
前記外枠３１は、前述の枠体１０や箱体２０を構成するものと同形態の金具３・３・３・３により連結された左板３１Ｌ、後板３１Ｂ及び右板３１Ｒの三枚の側板と、これらの側板３１Ｌ・３１Ｂ・３１Ｒの内側下部に固設された底板３２とで構成されている。
前記金具３には、前述の箱体２０と同様に、キャスター２を着脱自在に取り付けると好適である。
また、対向配置された前記左板３１Ｌと右板３１Ｒの対峙面の上下略中央部には、引出し３５の摺動を案内するためのレール３４・３４が、それぞれに固設されている。
【００３０】
前記引出し３５は、前板３５Ｆ、左板３５Ｌ、後板３５Ｂ、及び右板３５Ｒが接着材等により固設されて形成された平面視略矩形状の枠体の内側下部に底板３６が固設されて、構成されている。
左板３５Ｌと右板３５Ｒには、その外側面であって前記レール３４・３４と同じ高さの位置に、前後方向に伸延するレール溝３５ａ・３５ａが形成されており、該レール溝３５ａ・３５ａに、前記収納体３０に設けられたレール３４・３４が嵌入することによって、該収納体３０の移動が案内され、引出し３５が外枠３１内を前後方向に摺動する。
前板３５Ｆには、引出し孔３５ｂ・３５ｂが形成されており、該引出し孔３５ｂ・３５ｂに指を引っ掛けて引出し３５を引き出す構成であっても良いし、該引出し孔３５ｂ・３５ｂに図示しない取っ手を取り付けて、該取っ手によって引出し３５を引き出す構成であっても良い。
【００３１】
前記枠体１０と同様に、本実施例においては、収納体３０の外枠３１を構成する側板３１Ｌ・３１Ｂ・３１Ｒや、引出し３５を構成する前板３５Ｆを木材で形成しているが、これらの側板３１Ｌ・３１Ｂ・３１Ｒ・３５Ｆの外側面に、ゼブラ柄等の木目調のシートを貼り付ける構成とすることもできる。このようにシステムファニチャー１の構成パーツである収納体３０に、化粧を施し意匠性を向上させることよって、該システムファニチャー１をインテリアにコーディネートさせて、室内空間の雰囲気に調和させることができる。
【００３２】
また、システムファニチャー１の構成パーツとしての収納体は、前述のように外枠３１と引出し３５から成る収納体３０だけでなく、図１に示すように、前板４０Ｆ、左板４０Ｌ、後板、右板及び底板で成る、上開放箱形状の収納体４０も採用することができる。この場合、収納体４０の上方に配置された、他のシステムファニチャー１の構成パーツ（例えば、箱体２０や収納体３０など）を取り除いて、該収納体４０の内部より物の出し入れを行う。
【００３３】
また、図１に示すように、システムファニチャー１の構成パーツである枠体１０、箱体２０、収納体３０及び収納体４０は、いずれも平面視において略矩形状に形成され、且つ、外周形状が略一致している。但し、本実施例においては、システムファニチャー１の各構成パーツ１０・２０・３０・４０を平面視略矩形状に統一したが、平面視三角形状などの多角形状、又は、平面視略円状など、各種形状に統一することができる。
【００３４】
上述の枠体１０、箱体２０、収納体３０及び収納体４０の各構成パーツの組合せから成るシステムファニチャー１は、上方開放の箱体２０と、前記箱体２０と平面視略同一外周形状であって上下開放の枠体１０とを備え、前記箱体２０に単数又は複数の前記枠体１０を積層して係止可能に構成される。
また、システムファニチャー１は、前記箱体２０の下層に、前記箱体２０と平面視略同一外周形状の収納体３０・４０をさらに備えて構成される。
【００３５】
従って、積み重ねる上下開放の枠体１０の数を変更するだけで、該システムファニチャー１の高さ（容器としての深さ）を調整することが可能であり、観葉植物５の種類や発育（観葉植物５の大きさ）に容易に対応させることができる。
詳しくは、従来の観葉植物設置装置では、観葉植物５の種類や大きさに応じて自由に高さを調節することができなかったが、本発明のシステムファニチャー１においては、箱体２０の上方に、鉢カバーや観葉植物５の種類や大きさに応じて自由に枠体１０を積み重ねることが可能であり、従来のように観葉植物５の種類ごとに設置装置を準備したり、観葉植物５の大きさに応じて設置装置を準備する必要がない。
【００３６】
また、前記箱体２０の底板２１上に小鉢２２を具備したので、観葉植物５が植えられた土壌の水分等が、箱体２０や該箱体２０の下方の収納体３０・４０等に洩れ出ることを防止できる。
【００３７】
このように、システムファニチャー１では、構成パーツである枠体１０、箱体２０、収納体３０及び収納体４０が平面視において略一致する外周形状を有するとともに、収納体３０や収納体４０の上方に箱体２０を積載することができるので、構成パーツ１０・２０・３０・４０を積み重ねることで居間等の室内空間を効率的に活用でき、また、構成パーツ１０・２０・３０・４０に統一感を持たせることができる。
【００３８】
また、システムファニチャー１では、構成パーツである枠体１０、箱体２０、収納体３０及び収納体４０の外観を形成する面を、木材で構成するか、若しくは、木材に限らず樹脂や合板や金属などで構成して木目調のシートを貼付したので、システムファニチャー１に高級感を持たせることができる。そして、観葉植物５と、該観葉植物５を設置するためのシステムファニチャー１とを、インテリアの構成要素として取り込み、他のインテリア構成要素とのコーディネートを図ることができる。
【００３９】
また、システムファニチャー１の構成パーツである、箱体２０若しくは収納体３０・４０に、キャスター２・２・２・２を設けたので、居間等の室内空間を、システムファニチャー１に配置された観葉植物５を用いて、自在に区画することができる。例えば、突然の来客時には、システムファニチャー１を移動させて、該システムファニチャー１をパーティションとして利用することができる。
【００４０】
次に、システムファニチャー１の構成パーツである枠体１０及び箱体２０や収納体３０・４０の積み重ね方法について説明する。
各構成パーツを積み重ねれば、下層側となる構成パーツの各側板の連結箇所（四隅）の上端内側に、上層側となる構成パーツの下部に設けられた金具３の位置合せ部３ｂが嵌込して、上下の構成パーツは相互に係止される。
【００４１】
本実施例においては、構成パーツ１０・２０・３０・４０同士の係止方法を、金具３・３・３・３によるものとしているが、本発明の係止方法はこのような仕様に限定するものではなく、一方の構成パーツに凸部を設け、他方の構成パーツに凹部を設けることにより両者を係止させる等、従来用いられている係止方法を用いても良い。つまり、枠体１０や箱体２０や収納体３０・４０を任意の高さに積層して係止することができれば良く、該係止方法は問わないものである。
【００４２】
図１に示すシステムファニチャー１では、キャスター２・２・２・２が取り付けられた収納体４０上に別の収納体４０を載置し、該収納体４０上に箱体２０を載置して、構成パーツを３層に積層している。そして、前記箱体２０に４つの小鉢２２・２２・２２・２２を配設して、該小鉢２２に土壌４を敷き詰めて観葉植物５を植え付けている。
【００４３】
詳しくは、１層目（最下層）の収納体４０の側板４０Ｆ・４０Ｌ・４０Ｂ・４０Ｒの四隅の上端に、２層目の収納体４０下部の金具３・３・３・３の位置合せ部３ｂ・３ｂ・３ｂ・３ｂを合致させることにより、２層目の収納体４０を１層目の収納体４０上に載置した状態が保持される。そして、２層目の収納体４０の側板４０Ｆ・４０Ｌ・４０Ｂ・４０Ｒの四隅の上端に、３層目（最上層）の箱体２０の金具３・３・３・３の位置合せ部３ｂ・３ｂ・３ｂ・３ｂを嵌め込むことにより、３層目の箱体２０を２層目の収納体４０上に載置した状態が保持される。
【００４４】
なお、図１に示したシステムファニチャー１のように、枠体１０、箱体２０及び収納体３０・４０の左板１０Ｌ・２０Ｌ・３０Ｌ・４０Ｌ及び右板１０Ｒ・２０Ｒ・３０Ｒ・４０Ｒの上面に、前後方向略中央部に凹部２０ｘ・２０ｘ・・・を形成すると、前述した枠体１０及び箱体２０や収納体３０・４０の積み重ねや、取り外しや、入れ替えの各作業が容易となり好適である。
【００４５】
前述したように、本発明のシステムファニチャー１は、前記枠体１０を任意の高さに積み重ねることができるため、図７（ａ）乃至（ｃ）に示すように、システムファニチャー１の最下層に箱体２０を配設し、２層目以上に枠体１０・１０・・・を配設することによって、観葉植物５の大きさや該観葉植物５が植栽されている鉢カバーや容器の大きさに合せて、容易に収納容積を変更することが可能である。
また、図７（ｄ）に示すように、システムファニチャー１の最下層にキャスター２付きの収納体４０を配設し、２層目に収納体３０を配設し、３層目に小鉢２２と観葉植物５を配設した箱体２０を配設し、４層目に枠体１０を配設することも可能である。
【００４６】
そして、図８に示すように、観葉植物５が植えられたシステムファニチャー１・１・１を並べて配設することにより、室内空間を区画する間仕切として機能させることができ、例えば、突然の来客時にパーティション代りにシステムファニチャー１・１・１を利用することができる。
【００４７】
また、図９に示すように、本発明のシステムファニチャー１は、枠体１０及び箱体２０や収納体３０・４０などの構成パーツによる積層体を複数箇所に形成し、これらの積層体間に板体４５を架設する構成としても良い。
【００４８】
前記板体４５は、図１０に示すように、細長い板状部材４５ａと、該板状部材４５ａの下面に設けられた枠体遮蔽部４５ｂとから構成される。該枠体遮蔽部４５ｂは、平面視において、前記枠体１０及び箱体２０や収納体３０・４０の内周と同形状に形成されており、例えば枠体１０に載置する場合において、側板１０Ｆ・１０Ｌ・１０Ｂ・１０Ｒの上端部内側に該枠体遮蔽部４５ｂが嵌合するように構成されている。
【００４９】
つまり、図９に示すように、キャスター２付きの収納体３０・４０や、該収納体３０・４０等の上に載置された枠体１０及び箱体２０や収納体３０・４０の側板１０Ｆ・２０Ｆ・３１Ｆ・４０Ｆ・・・の内側に前記板体４５の枠体遮蔽部４５ｂを嵌合することにより、システムファニチャー１・１・１間に配設される机４５Ｘや棚４５Ｙを形成することができるのである。
【００５０】
このように、システムファニチャー１を机４５Ｘや棚４５Ｙの形態とする場合には、構成パーツ１０・２０・３０・４０を複数箇所にて積層して机４５Ｘや棚４５Ｙの脚として機能させ、枠体１０、箱体２０又は収納体４０などの上部開放の構成パーツの、上部開口を閉塞する板体４５を設けて天板又は棚板として機能させることができる。
即ち、前記システムファニチャーでは、枠体１０及び箱体２０や収納体３０・４０の積層体が机４５Ｘや棚４５Ｙの脚の役割を担っており、机４５Ｘや棚４５Ｙの脚に収納空間を設けることができるので、室内空間を効率的に利用できる。
【００５１】
ここで、前記板体４５は、平面視において前記枠体１０及び箱体２０や前記収納体３０・４０の外周形状と略一致する外周形状を有する板状部材４５ａと、該枠体１０及び箱体２０や該収納体３０・４０の内周形状と略一致する枠体遮蔽部４５ｂと、から構成されるタイプであっても良い。該板体４５を天板として、該板体４５の上面にテレビや写真立てを載置する等して、システムファニチャー１を利用することができる。
【図面の簡単な説明】
【００５２】
【図１】本発明の一実施例に係るシステムファニチャー１の前方斜視図。
【図２】（ａ）枠体１０の平面図（ｂ）同じく一部断面正面図。
【図３】（ａ）金具３の平面図（ｂ）同じく正面図。
【図４】（ａ）箱体２０の平面図（ｂ）同じく一部断面正面図。
【図５】（ａ）小鉢２２の平面図（ｂ）同じく一部断面正面。
【図６】収納体３０の一部断面正面図。
【図７】システムファニチャー１の使用例を示す正面図。
【図８】システムファニチャー１の別使用例を示す正面図。
【図９】板体４５を利用したシステムファニチャーの使用例を示す斜視図。
【図１０】（ａ）板体４５の平面図（ｂ）同じく正面図。
【符号の説明】
【００５３】
１    システムファニチャー
２    キャスター
３    金具
３ｂ    位置合せ部
５    観葉植物
１０    枠体
２０    箱体
２１    底板
２２    小鉢
３０    収納体（引出し）
４０    収納体
４５    板体
【図１】
2007068673.tif 000003
【図２】
2007068673.tif 000004
【図３】
2007068673.tif 000005
【図４】
2007068673.tif 000006
【図５】
2007068673.tif 000007
【図６】
2007068673.tif 000008
【図７】
2007068673.tif 000009
【図８】
2007068673.tif 000010
【図９】
2007068673.tif 000011
【図１０】
2007068673.tif 000012